(57)【要約】      （修正有）【課題】利用者の移動の妨げとなったり、設置場所が限定されたりすることがない温風暖房機の温風利用加湿パネルを提供する。【解決手段】湾曲させたパネルの左右両端をパネル用支柱で底部に継合し、温風を強制的に対流させる。【選択図】図１
0003167376.tif 000002
【実用新案登録請求の範囲】
【請求項１】
湾曲させたパネルの左右両端をパネル用支柱で底部に継合し温風を強制的に対流させる形状を特徴とする温風暖房機の温風利用加温パネル。
【考案の詳細な説明】
【技術分野】
【０００１】  本考案は、主としてファンヒーターから出る温風の一部を対面する湾曲したパネルにより局所的に強制対流させ内側の物を温めることに利用できるパネルに関するものである。
【背景技術】
【０００２】  従来、ファンヒーターの使用目的は部屋全体の暖房であった。近年、部屋全体の暖房器具でありながら排出される温風を他の使い方でも利用するようになってきている。【０００３】  例えば、ファンヒーターの温風を送風管で分岐させてこたつに使う目的のものが出願されている。（特許文献１）【０００４】  また、ファンヒーターの温風を衣類の乾燥に使用する目的の物が出願されている。（特許文献２）【０００５】  温風を多目的な乾燥をするためのケースに引き込み利用するものが考案されている。（特許文献３）
【先行技術文献】
【特許文献】
【０００６】
【特許文献１】特許公開平８−０６１７８３号公報
【特許文献２】特許公開平０５−２０３２６４号公報
【特許文献３】登録実用新案第３１４０９１８号公報
【考案の概要】
【考案が解決しようとする課題】
【０００７】  しかしながら、特許文献１、特許文献２、特許文献３記載のようなファンヒーターの温風利用方法では局所を温めたり乾燥させるのには送風管を必要としていたため設置した送風管の長さによっては利用者の移動の妨げとなったり設置場所の距離が限定されるものであった。【０００８】  さらにダクト用のホースの形状がインテリア性に欠けていたためにこれらの点を解決しようとするものである。
【課題を解決するための手段】
【０００９】  本考案は、ファンヒーターの温風を局所的に利用する際に必要としていた送風管などを使用せずに、温風の一部を暖房機に対面させるパネルによって反射させ強制的に対流させることにより局所的にパネル内部を加温させて中に置いた物を温めることを可能にしている。【００１０】  なおかつパネルに絵柄などを用い美観を併せ持つことによりインテリア性を向上させて問題を解決している。
【考案の効果】
【００１１】  上述のように、本考案のパネルは温風を送風管で分岐しないものであり、部屋全体の暖房にほとんど影響なくパネル内に置いた物を効率よく加熱及び保温することが可能で省エネ効果の期待が出来る。なおかつ、送風管による部屋の移動の妨げを解消しつつ、インテリア性も向上が図れる。【００１２】  また、分解および組み立てが簡単にできる構造であり、例えばパネルが断熱性の良いアルミニウム箔などにより形成されたもので有る場合には加工性が良く軽量なため輸送コストや保管コストなどの軽減が可能となる。
【図面の簡単な説明】
【００１３】
【図１】本考案の実施形態を示す斜視図である。
【図２】図１における分解した重層パネル内側面である
【図３】図２における分解した重層パネル外側面である
【図４】図１と図２における重層パネルの断面図である
【図５】本考案の分解した底面図である
【図６】図１における支柱挿入孔にパネル継合用支柱を嵌入した断面図である
【図７】本考案の完成平面図である
【図８】図７における正面図である
【図９】図８における側面図である
【考案を実施するための形態】
【００１４】  以下、本考案の温風暖房機の温風利用加温パネルを実施の最良の形態の一例として図面に示す実施例に基づいて具体的に説明する。
【００１５】  図１は本考案の全体を示す斜視図であり、図２の重層パネル内側面１と図３の重層パネル外側面２を図２のパネル継合用支柱３で図５の底板５の周縁部左右にある図５の支柱挿入孔４に垂設してある。
【００１６】  図２は温風を受ける対面壁となる重層パネル内側面１を示すものであり、温風の温度を効率よく保つためにパネル用の板材を蛇腹折りにし保温面積を増やし、なおかつ、重層させることにより強度を上げたものにして温風による転倒を防ぐようにしている。パネル両端は中に置いたもの、例えばやかんなどの出し入れが角部分に引っかかることなくスムーズに行えなえるように曲線状に高低差をつけている。
【００１７】  図３において横幅約６６Ｃｍ、高さ約３９Ｃｍの重層パネル外側面２はインテリア性を向上させるために絵柄等の描かれているものを用い、例えばリビングルームなどに設置した時に違和感なく美しいと感じることができるようにしている。パネル寸法はこれに限るものではなく一般的に石油ファンヒーターは温風吹き出し口が暖房機具前面パネルのほぼ中央部分にあり、ガスファンヒーターではそれよりも約１０Ｃｍほど低い位置に吹き出し口を設けている場合が多いため石油ファンヒーターの温風を利用することを前提として試作をしている。
【００１８】  図４は重層パネル内側面１と重層パネル外側面２に左右のパネル継合用支柱３を巻着してある状態の断面図である。
【００１９】  図５は本考案の温風暖房機の温風利用加温パネルの底板５を図示したものである。パネルを湾曲させて支柱に継合させるための支柱挿入孔４はより効果的に温風を取り込み対流させ加温効果が向上するように周縁部の半円よりやや前側左右に設けている。
【００２０】  図６は図５にある支柱挿入孔４の部分の断面図であり、パネル継合用支柱３は底板５に脱着ができるものである。重層パネル外側面２が重層パネル内側面１より高くなっているのは底板５の周縁部にある支柱挿入孔４にパネル継合用支柱３を挿入した際に本考案の裏側からは見えないようにしインテリア性を向上させるためであると同時にパネル継合用支柱３が左右２本のみであるため重層パネル外側面２の下側周縁部全体を使い安定性を向上させるためである。また、重層パネル内側面１は底板５の周縁部が高くなっているため脱着時にその高さのところで止まる必要を考慮し短くさせている。
【００２１】  図７は組み立ててある全体の平面図である。
【００２２】  図８は本考案の完成状態の正面図であるが、図２から図４のパネル部分と図５の底板部分は夏季などの不要時には扁平状の２枚の板に分解することが可能なので保管や運搬が容易である構造とする。
【００２３】  図９は本考案の側面図である。
【実施例】
【００２４】  以下にその手順を説明するが、本考案を実施するのにあたり、この説明、手順に限るものではない。【００２５】  本実施例では、室温が約１８℃の時ファンヒーターの温度設定を２０℃とした場合に、ファンヒーター前面より約２５ｃｍ離れた場所に本考案の温風暖房機の温風利用加温パネルを設置し内側に水を入れたやかんを置き利用した。【００２６】  やかんに入っている水量２リットルの水温が約１４℃であるときに、本考案の温風暖房機の温風利用加温パネルの内側にそのやかんを置いた場合、一時間経過後に水温が約３２℃に上昇し、２時間経過後には約６０度に上昇する。【００２７】  また、使用する季節が冬季であるため、台所などの気温は低く、冷凍庫や冷蔵庫から取り出した食品を自然解凍させる時に台所などに置いても、解凍や温めまでの時間が長くかかる。そこで本考案を使用すれば夏季の室温での解凍や温めよりもさらに短時間で行うことが可能となる。【００２８】  本考案を使用するのにあたり、物が置いていない場合にパネル部分の上昇温度は最高でも約７０℃以下である。物が置いてある場合に対流する温風はない場合と同じように湾曲したパネルに沿って物の裏側に回るため全体がより早く温められる。
【符号の説明】
【００２９】１  重層パネル内側面
２  重層パネル外側面
３  パネル継合用支柱
４  パネル継合用支柱挿入孔
５  底板
【図１】
0003167376.tif 000003
【図２】
0003167376.tif 000004
【図３】
0003167376.tif 000005
【図４】
0003167376.tif 000006
【図５】
0003167376.tif 000007
【図６】
0003167376.tif 000008
【図７】
0003167376.tif 000009
【図８】
0003167376.tif 000010
【図９】
0003167376.tif 000011